(57)【要約】【課題】配線が接続されるその用途に応じて、脱着しなければならない配線と、脱着不要の配線を一目で識別可能にした遊技機を提供する。【解決手段】遊技機の所定電気部品を制御する複数の制御基板と、これら制御基板のうち所定の制御基板に接続され、複数の配線の端部に取り付けられるコネクタとを備えた遊技機において、配線が接続される用途に応じて、脱着が必要な配線と、脱着が不要な配線とを、その配線色により識別可能としたので、メンテナンスのために機構板のみを開放する場合や、遊技盤のみを新機種に交換する場合等、作業者の熟練度に拘わらず、誤った配線接続を回避することができるだけでなく、配線接続の作業効率を格段に向上させることができる。【選択図】　　　図４
2004081404.tif 000002
【特許請求の範囲】
【請求項１】
遊技機の所定電気部品を制御する複数の制御基板と、これら制御基板のうち所定の制御基板に接続され、複数の配線の端部に取り付けられるコネクタとを備えた遊技機において、
前記配線が接続される用途に応じて、脱着が必要な配線と、脱着が不要な配線とを、その配線色により識別可能としたことを特徴とする遊技機。
【請求項２】
前記配線色を、複数の配線のうち大多数の色を含む色で判別するようにした請求項１に記載の遊技機。
【請求項３】
遊技機の所定電気部品を制御する複数の制御基板と、これら制御基板のうち所定の制御基板に接続され、複数の配線の端部に取り付けられるコネクタとを備えた遊技機において、
前記配線が接続される用途に応じて、脱着が必要な配線と、脱着が不要な配線とを、そのコネクタ色により識別可能としたことを特徴とする遊技機。
【請求項４】
前記コネクタを脱着するヘッドを、その用途に応じて配色した請求項１乃至３いずれかに記載の遊技機。
【発明の詳細な説明】
【０００１】
【発明の属する技術分野】
本発明は、パチンコ店に設置されるパチンコ機やパチスロ機等の遊技機に関する。
【０００２】
【従来の技術】
従来、一般に、パチンコ機やパチスロ機等の遊技機には、モータやソレノイドを駆動源とする遊技装置、ランプやＬＥＤ等の電気装飾部品、さらには遊技内容、電飾、効果音等を制御する制御基板等、様々な電気部品が備えられている。
【０００３】
このような様々な電気部品からなる遊技機は、その遊技内容の多様化、遊技装飾の多彩化に伴って近年電気部品が増加してきている。また、遊技機自体も高度技術を応用したものとなり、その開発競争も激化してきている。これに伴って遊技機の制御は、データ量も増加し、この電気部品の増加と共に、配線量も大幅に増大している。
【０００４】
さらに、遊技盤に設置される入賞口や装飾には電飾効果を上げるためにランプ類やスイッチ類が多用化され、それら配線も複雑化している。この配線類は、遊技盤に端子板を設け、各部品から延びる配線を色彩別にしたコネクタを、端子板に設けた色彩別のヘッドに差し込む作業をしていた。特に、コネクタが同じ形状で、かつ同じ極数である場合、こうした色彩を施すことにより、誤って配線接続をしないようにしている。
【０００５】
【発明が解決しようとする課題】
しかしながら、このような配線作業は、配線の緩みや弛みを巻き上げながらコネクタをヘッドに脱着しなければならず非常に手間がかかり、作業者によっては生産台数に影響を及ぼすほど熟練度を有するものとなっていた。
【０００６】
また、この種の遊技機は、メンテナンスのために機構板のみを開放する場合や、遊技盤のみを新機種に交換する場合等、その都度、各制御基板に電気信号を送っている配線を脱着しなければならず、脱着しなければならない配線が多数存在する上に、それらの配線も複雑に入り組んだ状態となっており、どの配線を脱着しなければならないのかが一目で判断し難い状態である。結果、抜き忘れたまま作業することに起因しての断線や、装着忘れによる機械の動作不良等を引き起こす原因となっていた。
【０００７】
本発明は、このような事情に鑑みてなされたもので、配線が接続されるその用途に応じて、脱着しなければならない配線と、脱着不要の配線とを一目で識別可能にした遊技機を提供することを目的としている。
【０００８】
【課題を解決するための手段】
係る目的を達成すべく、本発明のうち請求項１に記載の発明は、遊技機の所定電気部品を制御する複数の制御基板と、これら制御基板のうち所定の制御基板に接続され、複数の配線の端部に取り付けられるコネクタとを備えた遊技機において、前記配線が接続される用途に応じて、脱着が必要な配線と、脱着が不要な配線とを、その配線色により識別可能とした。
【０００９】
このように、配線が接続される用途に応じて、脱着が必要な配線と、脱着が不要な配線とを、その配線色により判別し、識別可能としたので、メンテナンスのために機構板のみを開放する場合や、遊技盤のみを新機種に交換する場合等、作業者の熟練度に拘わらず、誤った配線接続を回避することができるだけでなく、配線接続の作業効率を格段に向上させることができる。
【００１０】
また、請求項２に記載の発明のように、前記配線色を、複数の配線のうち大多数の色を含む色で判別すれば、各配線束の中で、例えば、これらの配線と区別するため、異なった配線色に設定された検査用配線が１〜３本含まれていても問題ない。
【００１１】
また、請求項３に記載の発明は、遊技機の所定電気部品を制御する複数の制御基板と、これら制御基板のうち所定の制御基板に接続され、複数の配線の端部に取り付けられるコネクタとを備えた遊技機において、前記配線が接続される用途に応じて、脱着が必要な配線と、脱着が不要な配線とを、そのコネクタ色により識別可能とした。
【００１２】
このように、配線色により識別するといった手法に限らず、配線の端部に設けられたコネクタの配色によっても識別しても良い。
【００１３】
また、請求項４に記載の発明のように、前記コネクタを脱着するヘッドを、その用途に応じて配色するようにしても良い。
【００１４】
【発明の実施の形態】
以下、本発明の実施の形態を図面に基づいて詳細に説明する。図１は、本発明に係る遊技機の実施形態を示す背面図である。まず、上部には多量の遊技球を貯留する払出球貯留部１が設けられている。この払出球貯留部１は、遊技球タンク１ａと、この遊技球タンク１ａから供給される遊技球を複数列に整列して流下させる遊技球タンクレール１ｂとで構成されている。
【００１５】
遊技球タンクレール１ｂの下流側には、外部との信号線が接続される外部接続端子（図示せず）を有する外部端子板２が設けられている。外部端子板２における外部接続端子は、管理コンピュータ等と遊技機間の信号線を接続する図示しない球切れ情報出力端子と球貸し情報出力端子と賞球情報出力端子、さらには、球切れ情報スイッチが接続されるコネクタと、払出制御基板３ａが接続されるコネクタ等を有している。
【００１６】
略中央部には払出機構部４が、その下部には払出経路部５がある。一方、下部の後面部には、電圧の異なる複数の電源を生成する電源ユニット基板６ａを収容する電源ユニット６と、遊技盤に設けられ、遊技装置の動作を制御する主基板７ａを収容する主基板ケース７と、払出機構部４の動作を制御する払出制御基板３ａを収容する払出制御基板ケース３と、この払出制御基板３ａと、主基板７ａ、および図示しないカードユニットの接続を中継するカードユニット接続基板８ａを収容するカードユニット接続基板ケース８等を備えている。これらのケースは透明な合成樹脂により矩形の箱型に形成されている。
【００１７】
電源ユニット基板６ａには、電源線が接続される電源コネクタ６ｂと電源スイッチ（図示せず）とが実装されている。電源線によって供給される電圧は、ＡＣ２４Ｖの電圧で、後述する払出制御基板３ａで一旦中継され、配線を介してこの電源ユニット基板６ａにてＤＣ変換され、再び電源は払出制御基板３ａや各制御基板に供給される。
【００１８】
主基板ケース７内に収容される音声制御基板９とランプ制御基板１０は、効果音データ等を記憶しているＲＯＭさえ交換すれば容易にリサイクルが可能となっている。したがって、遊技盤の入れ替え時には遊技機の交換と共に、主基板７ａ、音声制御基板９、ランプ制御基板１０を新しい機種のものに交換することで対応している。１１は発射制御基板である。
【００１９】
主基板７ａには、複数のコネクタ部（ヘッド）が実装されている。コネクタ部Ａには始動球検出器（図示せず）がコネクタ付き配線を介して単独で接続され、コネクタ部Ｂには中継基板が、コネクタ部Ｃには音声制御基板９が、コネクタ部Ｄにはランプ制御基板１０が、そしてコネクタ部Ｅには払出制御基板３ａ等がそれぞれコネクタ付き配線を介して接続されている。
【００２０】
図２は払出制御基板ケース３を示す平面図である。払出制御基板ケース３内には払出制御基板３ａが載置され、この払出制御基板３ａを介してカードユニット接続基板ケース８が固定される。払出制御基板３には、ＣＰＵをはじめとして、遊技用ＲＯＭ、ＲＡＭ、インターフェース回路等が実装されている。
【００２１】
また、側壁１２に沿って複数のコネクタ部が装着されている。これらコネクタ部のうちコネクタ部１３ａ、１３ｂは、情報線として図示しない外部接続端子基板と球払出装置にそれぞれ接続されるコネクタ付き配線（図示せず）が着脱自在に装着されている。なお、コネクタ部１３ｂは度数表示基板の検出線としての配線も含む。コネクタ部１３ｂは後述するカードユニット接続基板８ａに、コネクタ部１３ｅ、１３ｃは図示しない中継基板に接続され、コネクタ部１３ｄは制御線として主基板７ａに接続されている。コネクタ部１３ｉはＡＣ２４Ｖ電源を電源ユニット基板６ａへ伝送する中継をなし、電源ユニット基板９にてＤＣ変換された電源はコネクタ部１３ｆに接続され戻される。コネクタ部１３ｈは電源線で、フィルタ基板（図示せず）から接続されている。１４はエラーを解除するためのスイッチである。
【００２２】
カードユニット接続基板８ａを収納するカードユニット接続基板ケース８は、前述したように払出制御基板ケース３上に嵌着されている。図３はこのカードユニット接続基板ケース８の平面図を示している。カードユニット接続基板ケース８は前述した払出制御基板ケース３と同様、透明な合成樹脂により矩形の箱型に形成されている。
【００２３】
カードユニット接続基板ケース８は、払出制御基板ケース３の突出した側壁１２ａに嵌着するようにＬ字状をなしている。そして、このカードユニット接続基板ケース８にはカードユニット接続基板８ａが収納され、２つのコネクタ部１５ａ、１５ｂが装着された本体部１６と、前述した払出制御基板ケース３のコネクタ部１３ｃ〜１３ｇの上部を覆う遮蔽部１７とに分かれている。このように、カードユニット接続基板ケース８がＬ字状をなす箱型に形成されているため、払出制御基板ケース３に対するカードユニット接続基板ケース８の位置決めが容易となり、組立作業性が向上する。
【００２４】
また、払出制御基板ケース３上にカードユニット接続基板ケース８を装着することにより、充分な空間容積を有するカードユニット接続基板ケース８の遮蔽部１７内にコネクタ付き配線を収容することができるので、この遮蔽部１７が配線保護と、払出制御基板３ａ側に配設された本来的に取り外すことがないコネクタの取り外し防止という２つの機能を併せ持つことになり、狭いスペースを有効に活用することができる。
【００２５】
１８ａは固定ねじ（図示せず）を挿入するための円孔で、前述した払出制御基板ケース３の固定孔１８に対応して穿設されている。なお、本体部１６の一側には図示しないプリペイドカードユニットに接続されるケーブルの端子が装着されている。
【００２６】
本発明に係る実施形態では、前述した各制御基板間に接続される配線は、その用途に応じて、脱着が必要な配線と、脱着が不要な配線とを、その配線色を異ならせ、それによって識別可能としている。すなわち、本来的に取り外すことがないコネクタを有する配線は青色、球詰まりや裏セットの修理等のために、裏セットを解放する時に取り外す配線は緑色、そして、遊技盤の交換時に取り外す配線はオレンジ色および緑色となっている。
【００２７】
具体的には、図４の一覧表図（基板間の配線色）に示すように、電源ユニット６のコネクタ部６ｂ、Ｅと払出制御基板３ａのコネクタ部１３ｉ、１３ｆ間、および払出制御基板３ａのコネクタ部１３ａ、１３ｂ、１３ｃ、１３ｈと外部接続端子、球払出装置、カードユニット接続基板８ａ、フィルタ基板間に接続される配線はそれぞれ青色に設定されている。また、主基板７ａのコネクタ部Ｆと、払出制御基板３ａのコネクタ部１３ｄ間、主基板７ａのコネクタ部Ｇと電源ユニット６のコネクタ部Ｈ間に接続される配線はそれぞれオレンジ色に設定されている。また、ランプ基板１０のコネクタ部Ｃ、Ｄとランプ系中継基板、駆動系中継基板、払出制御基板３ａのコネクタ部１３ｅ、１３ｇと中継基板間に接続される配線はそれぞれ緑色に設定されている。なお、主基板７ａのコネクタ部Ａと始動球検出器間に接続される配線は規制色として黄色の蛍光色に設定されている。なお、配線色は例示した青色、オレンジ色、緑色に限らず他の配色であっても良い。
【００２８】
ここで、各配線束の中で、微小な検知電流を流して導通不良や電位差異常等をチェックする検査用として赤色に設定された配線が１〜３本含まれる。この赤色の線は、各コネクタの１番ピンに対応する配線である。したがって、これらの配線において、各配線束の全ての配線色が同一色でなくても、複数の配線のうち大多数の色を含む色で判別するように規定すれば良い。また、各配線が接続される用途に応じて同一色に設定されている実施例を例示したが、完全なる同一色ではなく同系色に設定しても良い。
【００２９】
また、各配線が接続される用途に応じて、脱着が必要な配線と、脱着が不要な配線とをその配線色ではなく、各コネクタを同一色または同系色に設定して識別するようにしても良い。さらには、各コネクタを脱着するヘッド自体を、その用途に応じて配色するようにしても良い。
【００３０】
前述ように、本来的に取り外すことがないコネクタを有する配線は青色、球詰まりや裏セットの修理等のために、裏セットを解放する時に取り外す配線は緑色、そして、遊技盤の交換時に取り外す配線はオレンジ色および緑色にそれぞれ設定することにより、接続基板毎の接続配線の用途によって容易に識別ができるので、遊技機の組み付け、メンテナンス時において、誤った配線接続を回避することができるだけでなく、配線接続の作業効率を格段に向上させることができる。
【００３１】
なお、本発明に係る遊技機でいう配線とは、導線および配線をフラットケーブルに結束したハーネスを含み、一端のみコネクタ加工が施され、他端は電気部品に直接接続されているものや、基板にハンダ付けやねじ止めされているものでも差し支えない。
【００３２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【００３３】
【発明の効果】
以上詳述したように、本発明に係る遊技機にあっては、遊技機の所定電気部品を制御する複数の制御基板と、これら制御基板のうち所定の制御基板に接続され、複数の配線の端部に取り付けられるコネクタとを備えた遊技機において、前記配線が接続される用途に応じて、脱着が必要な配線と、脱着が不要な配線とを、その配線色またはそのコネクタ色により識別可能としたので、メンテナンスのために機構板のみを開放する場合や、遊技盤のみを新機種に交換する場合等、作業者の熟練度に拘わらず、誤った配線接続を回避することができるだけでなく、配線接続の作業効率を格段に向上させることができる。
【図面の簡単な説明】
【図１】本発明に係る遊技機の実施形態を示す背面図である。
【図２】本発明に係る払出制御基板の実施形態を示す平面図である。
【図３】本発明に係るカードユニット接続基板の実施形態を示す平面図である。
【図４】本発明に係る制御基板間を接続する配線の設定色を示す一覧表図である。
【符号の説明】
１・・・・・・・・・・・・・・・・・払出球貯留部
１ａ・・・・・・・・・・・・・・・・遊技球タンク
１ｂ・・・・・・・・・・・・・・・・遊技球タンクレール
２・・・・・・・・・・・・・・・・・外部端子板
３・・・・・・・・・・・・・・・・・払出制御基板ケース
３ａ・・・・・・・・・・・・・・・・払出制御基板
４・・・・・・・・・・・・・・・・・払出機構部
５・・・・・・・・・・・・・・・・・払出経路部
６・・・・・・・・・・・・・・・・・電源ユニット
６ａ・・・・・・・・・・・・・・・・電源ユニット基板
６ｂ・・・・・・・・・・・・・・・・電源コネクタ
７・・・・・・・・・・・・・・・・・主基板ケース
７ａ・・・・・・・・・・・・・・・・主基板
８・・・・・・・・・・・・・・・・・カードユニット接続基板ケース
８ａ・・・・・・・・・・・・・・・・カードユニット接続基板
９・・・・・・・・・・・・・・・・・音声制御基板
１０・・・・・・・・・・・・・・・・ランプ制御基板
１１・・・・・・・・・・・・・・・・発射制御基板
１２、１２ａ・・・・・・・・・・・・側壁
１３ａ〜１３ｉ・・・・・・・・・・・コネクタ部
１４・・・・・・・・・・・・・・・・エラー解除スイッチ
１５ａ、１５ｂ・・・・・・・・・・・コネクタ部
１６・・・・・・・・・・・・・・・・本体部
１７・・・・・・・・・・・・・・・・遮蔽部
１８・・・・・・・・・・・・・・・・固定孔
１８ａ・・・・・・・・・・・・・・・円孔
Ａ、Ｂ、Ｃ、Ｄ、Ｅ・・・・・・・・・コネクタ部
【図１】
2004081404.tif 000003
【図２】
2004081404.tif 000004
【図３】
2004081404.tif 000005
【図４】
2004081404.tif 000006